(57)【要約】【課題】蓋体がコスト高になることなく、気密性および係止機能の優れたジューサーを提供する。【解決手段】駆動手段（モータ２）を備えた本体１と、本体１に着脱可能に装着され、その内部を筒状の仕切壁１６によって内側のジュース案内部６と外側のカス受部７とに区画した区画容器５と、区画容器５の仕切壁１６内に配置されるとともに、駆動手段の出力軸２ａに着脱可能に装着され、該駆動手段による回転により投入された食材をジュースとカスとに分離する調製部材２２と、区画容器５を閉塞する蓋体２７と、区画容器５のジュース案内部６から注出されるジュースを受けるジュース容器３８とを備えたジューサーにおいて、蓋体２７は、区画容器５の上端開口を閉塞する透明な内蓋２８と、区画容器５の外側から内蓋２８にかけて覆いその一部に開口部３４を設けた不透明なカバー３２とからなる構成とする。【選択図】  図１
2004254840.tif 000002
【特許請求の範囲】
【請求項１】
駆動手段を備えた本体と、
前記本体に着脱可能に装着され、その内部を筒状の仕切壁によって内側のジュース案内部と外側のカス受部とに区画した区画容器と、
前記区画容器の仕切壁内に配置されるとともに、前記駆動手段の出力軸に着脱可能に装着され、該駆動手段による回転により投入された食材をジュースとカスとに分離する調製部材と、
前記区画容器を閉塞する蓋体と、
前記区画容器のジュース案内部から注出されるジュースを受けるジュース容器とを備えたジューサーにおいて、
前記蓋体は、前記区画容器の上端開口を閉塞する透明な内蓋と、前記区画容器の外側から前記内蓋にかけて覆いその一部に開口部を設けた不透明なカバーとからなることを特徴とするジューサー。
【請求項２】
前記カバーに、前記本体に係止するための係止部を設け、該カバーにより前記内蓋を区画容器へ押圧するようにしたことを特徴とする請求項１に記載のジューサー。
【請求項３】
前記内蓋とカバーとの間に緩衝部材を配設したことを特徴とする請求項１または請求項２に記載のジューサー。
【請求項４】
前記内蓋は、前記調製部材内部から外部にかけて延びる筒状の食材投入通路を備え、前記カバーに、前記食材投入通路の外部に露出した部分を覆う被覆部を設けたことを特徴とする請求項１乃至請求項３のいずれか１項に記載のジューサー。
【請求項５】
前記内蓋の食材投入通路の上端は、前記カバーの被覆部の上端と同一高さ以上に位置するようにしたことを特徴とする請求項４に記載のジューサー。
【請求項６】
前記内蓋の食材投入通路に、内向きに窪む位置決め凹部を設けるとともに、前記カバーの被覆部に、前記位置決め凹部に嵌る位置決め凸部を設けたことを特徴とする請求項４または請求項５に記載のジューサー。
【発明の詳細な説明】
【０００１】
【発明の属する技術分野】
本発明は、果物や野菜などの食材をジュースとカスとに分離するジューサーに関するものである。
【０００２】
【従来の技術】
従来のジューサーは、駆動手段を備えた本体と、該本体に着脱可能に装着される区画容器と、該区画容器内に配置される調製部材と、前記区画容器を閉塞する蓋体と、前記区画容器から注出されるジュースを受けるジュース容器とを備えている。
【０００３】
前記区画容器は、その内部に環状の仕切壁が設けられ、仕切壁内のジュース案内部と仕切壁外のカス受部とに区画されている。また、前記調製部材は、前記区画容器における仕切壁の内部に配設されるもので、その底面に果物や野菜などの食材を摺り下ろすカッターが設けられるとともに、該カッターの周囲から上向きに広がるように逆円錐台形筒状に突出するフィルターが設けられている。
【０００４】
このように構成されたジューサーは、区画容器における上部の食材投入通路から前記調製部材内に食材が押し込まれると、まず、駆動手段による回転で食材をカッターで摺り下ろす。これにより、この摺り下ろされた食材は、フィルターにおいて、ジュースとカスとに分離され、ジュースはフィルターに設けた多数の孔を通ってジュース案内部に流入し、カスはフィルターの上端からカス受部に飛散される。また、前記ジュース案内部に流入したジュースは、ジュース容器へと案内される。
【０００５】
なお、本発明のジューサーに関連する先行技術文献情報としては次のものがある。
【０００６】
【特許文献１】
特開２００２−１７５５８号公報
【０００７】
この特許文献１では、調製作業中の内部をユーザが透視できるように、不透明な蓋本体の一部に透明な窓部を２色成形により設けた蓋体を適用している。
【０００８】
【発明が解決しようとする課題】
しかしながら、前記ジューサーでは、蓋本体は本体への係止機能を確保するためにはＡＢＳ樹脂を使用する必要があるのに対し、窓部は透視機能を確保するためにはＡＳ樹脂を使用する必要があり、異なる樹脂材料を２色成形により溶着させる必要があるため、その成形金型が複雑になり、コスト高になるという問題がある。また、この種の２色成形を可能な成型機を有する場所でしか生産することができないという問題があった。
【０００９】
そこで、本発明では、蓋体がコスト高になることなく、気密性および係止機能の優れたジューサーを提供することを課題とするものである。
【００１０】
【課題を解決するための手段】
前記課題を解決するため、本発明のジューサーは、駆動手段を備えた本体と、前記本体に着脱可能に装着され、その内部を筒状の仕切壁によって内側のジュース案内部と外側のカス受部とに区画した区画容器と、前記区画容器の仕切壁内に配置されるとともに、前記駆動手段の出力軸に着脱可能に装着され、該駆動手段による回転により投入された食材をジュースとカスとに分離する調製部材と、前記区画容器を閉塞する蓋体と、前記区画容器のジュース案内部から注出されるジュースを受けるジュース容器とを備えたジューサーにおいて、前記蓋体は、前記区画容器の上端開口を閉塞する透明な内蓋と、前記区画容器の外側から前記内蓋にかけて覆いその一部に開口部を設けた不透明なカバーとからなる構成としている。
【００１１】
このジューサーによれば、不透明なカバーの開口部から透明な内蓋を介して内部を透視できる。そして、この蓋体は、透明な内蓋と不透明なカバーにより構成しているため、２色成形する必要はなく、コスト高になることを防止できるうえ、生産可能な場所（工場）が限定されることもない。しかも、内蓋により区画容器との気密性は十分に確保できるうえ、カバーにより本体との係止機能も十分に確保することができる。
【００１２】
このジューサーでは、前記カバーに、前記本体に係止するための係止部を設け、該カバーにより前記内蓋を区画容器へ押圧するように構成することが好ましい。このようにすれば、気密性をより確実に維持することができる。
【００１３】
また、前記内蓋とカバーとの間に緩衝部材を配設することが好ましい。このようにすれば、調製動作の実行中の振動により異音が発生することを防止できる。
【００１４】
さらに、前記内蓋は、前記調製部材内部から外部にかけて延びる筒状の食材投入通路を備え、前記カバーに、前記食材投入通路の外部に露出した部分を覆う被覆部を設けることが好ましい。
【００１５】
この場合、前記内蓋の食材投入通路の上端は、前記カバーの被覆部の上端と同一高さ以上に位置するように構成することが好ましい。このようにすれば、食材投入通路に食材を投入する際に内蓋とカバーとの間に食材の破片やジュースなどが進入することを抑制できる。
【００１６】
さらにまた、前記内蓋の食材投入通路に、内向きに窪む位置決め凹部を設けるとともに、前記カバーの被覆部に、前記位置決め凹部に嵌る位置決め凸部を設けることが好ましい。このようにすれば、組立時の作業性を向上できる。
【００１７】
【発明の実施の形態】
以下、本発明の実施の形態を図面に従って説明する。
図１から図５は、本発明の実施形態に係るジューサーを示す。このジューサーは、図１に示すように、大略、本体１と、区画容器５と、調製部材２２と、蓋体２７と、ジュース容器３８と、食材押込部材４１とからなる。
【００１８】
前記本体１は、その外装体の内部に駆動手段としてモータ２を配設したものである。このモータ２は、その出力軸２ａが本体１の上端から突出され、その突出部に後述する調製部材２２を着脱可能に装着するための装着部材３が取り付けられている。また、本体１の正面下部には、ジュース容器３８の受台部４が設けられている。
【００１９】
前記区画容器５は、前記本体１に着脱可能に装着され、その内部を仕切壁１６によって内側のジュース案内部６と外側のカス受部７とに区画したものである。具体的には、図２および図３に示すように、本実施形態の区画容器５は、断面略Ｊ字形状の筒状部材からなる区画容器本体８と、該区画容器本体８の内部に着脱可能に装着される断面略Ｌ字形状の筒状部材からなる別体の仕切壁１６とからなる。
【００２０】
前記区画容器本体８は、円筒状をなす外壁９の下端に、下向きに傾斜する底壁１０を一体に設けたものである。前記外壁９の下部には、内向きに突出し、その上面が水平面を構成する段部１１が設けられている。また、外壁９には、仕切壁を装着する際に定位置にガイドするとともにロックするロック部１２Ａ，１２Ｂ，１２Ｃが１２０度間隔で内向きに突設されている。そのうち、背面側に位置するロック部１２Ｂは、後述する蓋体２７を構成する内蓋２８を位置決めする機能を兼用するもので、前記段部１１から所定間隔をもった上部から側壁の上端まで延びるように矩形状に設けられている。前記底壁１０は、その中央に本体１から突出したモータ２の装着部材３を挿通する断面凸形状の筒部１３を設けたものである。この底壁１０において、最下端に位置する正面側端部には、注出孔１４が設けられるとともに、その周囲から下向きに突出する注出ノズル部１５が設けられている。
【００２１】
前記仕切壁１６は、区画容器５の内壁を構成する円筒部１７の下端に、外向きに突出するフランジ部１９を一体に設けた断面Ｌ字形状のものである。前記円筒部１７の上端には、内向きに突出する環状リブ１８が設けられている。前記フランジ部１９の外周縁には、前記ロック部１２Ａ〜１２Ｃを挿通する切欠部２０が設けられるとともに、該切欠部２０における反時計回りの方向の近傍に上向きに傾斜する斜面と上向きに突出する係止段部とからなる被ロック部２１が設けられている。
【００２２】
前記構成の区画容器５は、区画容器本体８内に仕切壁１６を装着することにより、仕切壁１６の円筒部１７の内側と区画容器本体８における段部１１の下側の領域からなる前記ジュース案内部６と、仕切壁１６の円筒部１７およびフランジ部１９の外側と区画容器本体８の外壁９で囲まれた領域からなる前記カス受部７が形成される。
【００２３】
前記調製部材２２は、前記区画容器５における仕切壁１６内に配置し、前記モータ２のの出力軸２ａに装着部材３を介して着脱可能に装着されるものである。この調製部材２２は、図１および図２に示すように、装着部材３に装着するための装着用台座部２３と、該装着用台座部２３の上面に配設したカッター２４と、前記装着用台座部２３の周囲から逆円錐台形筒状に突出するフィルター２５と、該フィルター２５の上端縁に装着した安全カバー２６とからなる。前記カッター２４は金属製であり、所定間隔をもって放射状に突出する刃部２４ａを備えている。前記フィルター２５は金属製であり、所定間隔をもって穿設した多数の通孔２５ａを備えている。
【００２４】
前記蓋体２７は、図２、図４および図５に示すように、透明なＡＳ樹脂からなる内蓋２８と、不透明なＡＢＳ樹脂からなるカバー３２とからなる。
【００２５】
前記内蓋２８は、前記区画容器５の上端開口を閉塞する上向きに膨出した皿形状のもので、その背部には前記ロック部１２Ｂに嵌合する凹部２８ａを備えている。この内蓋２８の正面側には、上向きに突出する平面視円弧状の窓部２９が形成されている。また、この内蓋２８には、その略中央に前記調製部材２２の内部から外部にかけて延びる筒状の食材投入通路３０が形成されている。この食材投入通路３０は、上方に突出する部分３０ａが平面視円形状をなし、下方に突出する部分３０ｂが円の一部（背部）を内向きに円弧状に窪ませた形状をなしている。また、この食材投入通路３０の背面側上端には、内向きに窪む位置決め凹部３１が設けられている。この位置決め凹部３１は、背面視で略逆三角形状をなす。
【００２６】
前記カバー３２は、前記区画容器５の外側から前記内蓋２８の略全周囲にかけて覆う略凸形状をなす筒状のもので、その前後方向の中央には外向きに突出する前記本体１への係止部３３が設けられている。このカバー３２には、前記内蓋２８の窓部２９に対応する開口部３４が設けられ、この開口部３４から前記窓部２９を介して内部を透視できるように構成されている。また、カバー３２には、前記食材投入通路３０における外部に露出した上側部分３０ａを覆う円筒形状の被覆部３５が設けられている。この被覆部３５は、その上端が前記食材投入通路３０の上側部分３０ａの上端より同一高さ以下に位置するように形成されている。言い換えれば、前記食材投入通路３０の上側部分３０ａの上端は、被覆部３５の上端と同一高さ以上に位置するように形成されている。また、前記被覆部３５には、前記位置決め凹部３１に嵌る背面視で逆三角形状の位置決め凸部３６が設けられている。
【００２７】
本実施形態では、この蓋体２７において、前記内蓋２８とカバー３２との間には、ゴム製の緩衝部材３７を配設し、調製動作の実行中の振動により前記内蓋２８とカバー３２とが干渉して異音が発生することを防止している。また、前記カバー３２は、前記本体１への装着状態で、前記緩衝部材３７を介して内蓋２８を区画容器５へ押圧する寸法に設定されている。
【００２８】
前記ジュース容器３８は、図１に示すように、上端開口を閉塞する蓋３９を備え、前記本体１の受台部４に着脱可能に装着するものである。前記蓋３９には、本体１に装着した区画容器５における注出ノズル部１５に対応する流入口４０が設けられている。
【００２９】
前記食材押込部材４１は、前記食材投入通路３０における下側部分３０ｂと同一形状をなし、その上部に前記被覆部３５を覆う大きさの操作部４２を設けたものである。
【００３０】
前記構成のジューサーを使用する場合には、まず、本体１に対して区画容器本体８を装着し、その区画容器本体８に対して仕切壁１６を装着した後、仕切壁１６内に調製部材２２を配置する。
【００３１】
ついで、区画容器本体８に対して内蓋２８を装着する。この際には、区画容器本体８に形成したロック部１２Ｂに対して内蓋２８の凹部２８ａを位置決めすることにより、簡単かつ確実に正規の装着位置に内蓋２８を装着することができる。
【００３２】
その後、内蓋２８の上方から覆い被せるようにしてカバー３２を装着し、その係止部３３を本体１の係止受部（図示せず）に係止する。この際には、内蓋２８に形成した位置決め凹部３１に対してカバー３２の位置決め凸部３６を位置決めすることにより、カバー３２の方向性を正規の装着方向にガイドしながら簡単かつ確実に装着することができる。
【００３３】
この組立状態では、内蓋２８は、カバー３２の装着により緩衝部材３７を介して区画容器本体８に押圧されている。そのため、区画容器５内の気密性を確実に確保することができる。また、不透明なカバー３２の開口部３４には、内蓋２８の窓部２９が嵌り込んでおり、この透明な窓部２９を介して内部を透視できる。
【００３４】
前記ジューサーは、電源コードを商用電源に接続し、本体１の表面に設けた図示しない操作パネルのスイッチを操作することにより、前記調製部材２２が区画容器５の内部で回転する。
【００３５】
そして、ユーザは、食材投入通路３０の入口から材料を投入し、食材押込部材４１により下向きに押し込むことにより、その食材を調製部材２２によってジュースとカスとに分離する。具体的には、材料は、まず、調製部材２２のカッター２４により摺り下ろされる。その後、カッター２４と食材投入通路３０の下端との隙間から遠心力によって外側に飛散され、フィルター２５に衝突する。これにより、摺り下ろされた実は、含んだジュースが通孔２５ａを通してジュース案内部６に飛散し、ジュースが飛ばされたカスがフィルター２５の傾斜に沿って上昇してカス受部７に飛散される。
【００３６】
前述の食材投入通路３０に食材を投入する際には、その食材投入通路３０の上端を、カバー３２の被覆部３５の上端と同一高さ以上に位置するように構成しているため、内蓋２８とカバー３２との間に食材の破片やジュースなどが進入することを抑制できる。また、調製動作の実行中には、内蓋２８とカバー３２との間に緩衝部材３７を配設しているため、その動作中の振動により内蓋２８とカバー３２とが干渉して異音が発生することを防止できる。
【００３７】
しかも、本実施形態では、前記蓋体２７は、透明な内蓋２８と不透明なカバー３２により構成しているため、２色成形する必要はなく、コスト高になることを防止できるうえ、生産可能な場所（工場）が限定されることもない。しかも、内蓋２８により区画容器５との気密性は十分に確保できるうえ、カバー３２により本体１との係止機能も十分に確保することができる。
【００３８】
なお、本発明のジューサーは、前記実施形態の構成に限定されるものではなく、種々の変更が可能である。
【００３９】
例えば、前記実施形態では、内蓋２８には、カバー３２の開口部３４に嵌め込まれるように窓部２９を上向きに突出するように形成したが、この突出した窓部２９は必ずしも形成する必要はない。
【００４０】
【発明の効果】
以上の説明から明らかなように、本発明のジューサーでは、蓋体を、前記区画容器の上端開口を閉塞する透明な内蓋と、前記区画容器の外側から前記内蓋にかけて覆いその一部に開口部を設けた不透明なカバーとで構成しているため、２色成形する必要はなく、コスト高になることを防止できる。そのため、生産可能な場所（工場）が限定されることはない。しかも、内蓋により区画容器との気密性は十分に確保できるうえ、カバーにより本体との係止機能も十分に確保することができる。
【図面の簡単な説明】
【図１】本発明の実施形態に係るジューサーを示す断面図である。
【図２】本体に装着する各構成部品を示す分解斜視図である。
【図３】区画容器を構成する区画容器本体と仕切壁とを分離した状態を示す断面図である。
【図４】蓋体を構成する内蓋とカバーとを分離した状態を示す断面図である。
【図５】内蓋とカバーとを装着した状態を示す平面図である。
【符号の説明】
１…本体、２…モータ（駆動手段）、２ａ…出力軸、５…区画容器、６…ジュース案内部、７…カス受部、８…区画容器本体、１６…仕切壁、２２…調製部材、２７…蓋体、２８…内蓋、２９…窓部、３０…食材投入通路、３１…位置決め凹部、３２…カバー、３３…係止部、３４…開口部、３５…被覆部、３６…位置決め凸部、３７…緩衝部材、３８…ジュース容器。
【図１】
2004254840.tif 000003
【図２】
2004254840.tif 000004
【図３】
2004254840.tif 000005
【図４】
2004254840.tif 000006
【図５】
2004254840.tif 000007